(57)【要約】【課題】スイッチの操作により、警告ブザーや警告赤色ランプを作動させて防犯機能を向上させる技術を提供する。【解決手段】既存の電信柱や新設した電信柱を含む各種の柱１は、スイッチ手段２及び婦女子や通行人が該スイッチ手段２を操作することにより鳴動する警告ブザー手段３を備えており、該警告ブザー手段３は作動するとき、暴漢等を追撃するに必要な警告を発信する。また、該柱１には単一の照明器具４を備え、照明器具４の支持枠４ａは前記柱１の上端部分に固定し、その他端は点灯管４ｂを固定している。該点灯管４ｂ内は、白色又は青色発光する蛍光灯やその他のランプ等でなる常備用ランプ手段４ｃ、及び赤色発光する蛍光灯やその他のランプ等であって、暴漢等を追撃するに必要な警告赤色光を発光する警告赤色ランプ手段４ｄを一緒に収容している。【選択図】図１
2004013317.tif 000002
【特許請求の範囲】
【請求項１】
電柱等の柱と、該柱の所定位置に設置したスイッチ手段と、該柱に設置すると共にスイッチ手段の閉成又は開放操作により鳴動開始又は鳴動停止する警告ブザー手段とで構成された柱に備えた防犯システム。
【請求項２】
電柱等の柱と、該柱の所定位置に設置したスイッチ手段と、該柱に設置すると共にスイッチ手段の閉成又は開放操作により点灯又は消灯する警告赤色ランプ手段とで構成された柱に備えた防犯システム。
【請求項３】
電柱等の柱と、該柱の所定位置に設置したスイッチ手段と、該柱に設置すると共にスイッチ手段の閉成又は開放操作により、鳴動開始又は鳴動停止する警告ブザー手段及び点灯又は消灯する警告赤色ランプ手段とで構成された柱に備えた防犯システム。
【請求項４】
前記柱にリレー手段を内蔵し、電源からの電気信号を該リレー手段を介して警告ブザー手段及び／又は警告赤色ランプ手段へ通電する通電回路を形成したことを特徴とする請求項１、２又は３記載の柱に備えた防犯システム。
【請求項５】
前記柱に内蔵してあって、前記スイッチ手段の動作に連動しかつ前記警告ブザー手段及び／又は警告赤色ランプ手段を所定時間動作を継続させるタイマ手段を有したことを特徴とする請求項１、２又は３記載の柱に備えた防犯システム。
【請求項６】
電柱等の柱と、該柱に装備しかつ電源から第１スイッチ手段を介して接続した夜間時等に点灯する常備用ランプ手段と、該柱の所定位置に設置した第２スイッチ手段と、該柱に設置すると共に第２スイッチ手段の閉成又は開放操作により鳴動開始又は鳴動停止する警告ブザー手段及び点灯又は消灯する警告赤色ランプ手段と、該第２スイッチ手段の閉成動作により前記常備用ランプ手段を消灯すると共に該警告ブザー手段及び警告赤色ランプ手段を所定時間動作しかつ所定時間経過後に前記第２スイッチ手段に接続する第３スイッチ手段及び前記警告ブザー手段に接続するタイマスイッチを開放するタイマ手段を備えたことを特徴とする柱に備えた防犯システム。
【請求項７】
前記柱にリレー手段を内蔵し、電源からの電気信号を該リレー手段を介して警告ブザー手段、警告赤色ランプ手段及び／又は常備用ランプ手段へ通電する通電回路を形成したことを特徴とする請求項１、２又は３記載の柱に備えた防犯システム。
【請求項８】
前記第１スイッチ手段、前記第３スイッチ手段及び／又は前記タイマ手段は、前記柱に内蔵されたことを特徴とする請求項５又は６記載の柱に備えた防犯システム。
【請求項９】
前記常備用ランプ手段と前記警告赤色ランプ手段は、単一の照明器具内に並置したことを特徴とする請求項６記載の柱に備えた防犯システム。
【発明の詳細な説明】
【０００１】
【発明が属する技術分野】
本発明は、夜間等に於いて街の道路等を歩行し又は自転車等で走行している婦女子が暴漢に襲われた場合や数人による諍いがあった場合等、電柱やその他柱に設置したスイッチ手段を操作することにより該電柱等に備えた警告ブザー等でなる警告手段を動作させ、該暴漢や諍いの当事者等を追払い、街の安全を確保すべくした柱に備えた防犯システムに関する。
【０００２】
【従来の技術】
従来、この種の防犯システムは存在しておらず、夜間等に於いて、街の道路を歩行し又は自転車等で走行している婦女子は暴漢に襲われるという事件や、男女を問わず道路上の通行人から金銭を奪う目的で強盗から当該通行人が強迫される事件が多発し、治安上好ましくなく社会問題となりつつある。また、従来の技術は、何等かの原因で街の道路上で諍いが生じている場合、これを諍い当事者以外の者が迅速にこれを停止させる方法や警察署等に報知する方法が存在しないものであった。
【０００３】
一方、近時、防犯対策の手段として携帯用警告ブザーが市販されており、暗がりの道路を歩行する婦女子等は当該携帯用警告ブザーを所持してこれを作動させ、前記暴漢等からの被害を防止していた。
【０００４】
【発明が解決しようとする課題】
従来の技術に於いては、叙上のように防犯システムが存在しない現況であり、また前述した防犯対策として婦女子等が暴漢等を追払うことや撃退するための携帯用警告ブザーを使用する方法によれば、これの不使時には携帯用警告ブザーが不要であるばかりか、これを使用時つまり必要な際、当該携帯用警告ブザーの所持忘れや該携帯用警告ブザーを迅速に操作できないこと及びこれを紛失するときがあって、実用的でないという問題点があった。また、夜間等に於ける街の道路上で諍いがあった場合、近隣の住民から安眠を妨害するという苦情があるにも拘らず、これの対策が講じられず、治安上好ましくないという問題点があった。
【０００５】
【課題を解決するための手段】
本発明は、例えば、街の道路脇に設置した電信柱等の柱にスイッチ手段、警告ブザー手段や警告赤色ランプ手段等を設置し、これを動作させることにより、当該街の道路等を歩行又は自転車等で走行している婦女子等を暴漢から保護する等を行い、街の治安を向上させることを目的としたものであって、次の構成、手段から成立する。
【０００６】
請求項１記載の発明によれば、電柱等の柱と、該柱の所定位置に設置したスイッチ手段と、該柱に設置すると共にスイッチ手段の閉成又は開放操作により鳴動開始又は鳴動停止する警告ブザー手段とで構成された柱に備えた防犯システムである。
【０００７】
請求項２記載の発明によれば、電柱等の柱と、該柱の所定位置に設置したスイッチ手段と、該柱に設置すると共にスイッチ手段の閉成又は開放操作により点灯又は消灯する警告赤色ランプ手段とで構成された柱に備えた防犯システムである。
【０００８】
請求項３記載の発明によれば、電柱等の柱と、該柱の所定位置に設置したスイッチ手段と、該柱に設置すると共にスイッチ手段の閉成又は開放操作により、鳴動開始又は鳴動停止する警告ブザー手段及び点灯又は消灯する警告赤色ランプ手段とで構成された柱に備えた防犯システムである。
【０００９】
請求項４記載の発明によれば、前記柱にリレー手段を内蔵し、電源からの電気信号を該リレー手段を介して警告ブザー手段及び／又は警告赤色ランプ手段へ通電する通電回路を形成したことを特徴とする請求項１、２又は３記載の柱に備えた防犯システムである。
【００１０】
請求項５記載の発明によれば、前記柱に内蔵してあって、前記スイッチ手段の動作に連動しかつ前記警告ブザー手段及び／又は警告赤色ランプ手段を所定時間動作を継続させるタイマ手段を有したことを特徴とする請求項１、２又は３記載の柱に備えた防犯システムである。
【００１１】
請求項６記載の発明によれば、電柱等の柱と、該柱に装備しかつ電源から第１スイッチ手段を介して接続した夜間時等に点灯する常備用ランプ手段と、該柱の所定位置に設置した第２スイッチ手段と、該柱に設置すると共に第２スイッチ手段の閉成又は開放操作により鳴動開始又は鳴動停止する警告ブザー手段及び点灯又は消灯する警告赤色ランプ手段と、該第２スイッチ手段の閉成動作により前記常備用ランプ手段を消灯すると共に該警告ブザー手段及び警告赤色ランプ手段を所定時間動作しかつ所定時間経過後に前記第２スイッチ手段に接続する第３スイッチ手段及び前記警告ブザー手段に接続するタイマスイッチを開放するタイマ手段を備えたことを特徴とする柱に備えた防犯システムである。
【００１２】
請求項７記載の発明によれば、前記柱にリレー手段を内蔵し、電源からの電気信号を該リレー手段を介して警告ブザー手段、警告赤色ランプ手段及び／又は常備用ランプ手段へ通電する通電回路を形成したことを特徴とする請求項１、２又は３記載の柱に備えた防犯システムである。
【００１３】
請求項８記載の発明によれば、前記第１スイッチ手段、前記第３スイッチ手段及び／又は前記タイマ手段は、前記柱に内蔵されたことを特徴とする請求項５又は６記載の柱に備えた防犯システムである。
【００１４】
請求項９記載の発明によれば、前記常備用ランプ手段と前記警告赤色ランプ手段は、単一の照明器具内に並置したことを特徴とする請求項６記載の柱に備えた防犯システムである。
【００１５】
【発明の実施の形態】
以下、添付図面に基づき、本発明に係る柱に備えた防犯システムに於ける実施の形態について詳細に説明する。
【００１６】
図１は、本発明に係る柱に備えた防犯システムの構成例を示す全体側面図である。
１は、既存の電信柱や新設した電信柱を含む各種の柱であり、例えば鉄、アルミニュウム、木材、合成樹脂材、石材等各種の材料を成型又は組立て構成される。２はスイッチ手段であって、シーソスイッチ、押ボタンスイッチ、タンブラスイッチ、ロータリースイッチ、プルスイッチ、自動戻り型スイッチ、防水スイッチ等各種のスイッチ手段で構成され、本発明では例えば通行人が操作し易くかつ防水機能を有しかつ耐久性を備えたスイッチ手段２を採用する。３は、該スイッチ手段２を婦女子や通行人が操作することにより鳴動する警告ブザー手段である。該警告ブザー手段３は作動するとき、例えば、約４０（Ｈｚ）〜約１０，０００（Ｈｚ）の周波数が伝送するように構成し、暴漢等を追撃や追払うことに必要な警告を発信する。また、該警告ブザー手段３は、ブザー音以外に音声装置を組込み、例えば「ドロボウデス、タスケテクダサイ」の音声を発するようにしてもよい。４は単一の照明器具であって、支持枠４ａを備え、該支持枠４ａの一端は前記柱１の上端部分に固定し、その他端は点灯管４ｂを固定している。該点灯管４ｂは、例えばアクリルグローブで構成してもよい。該点灯管４ｂ内は、白色又は青色発光する例えば各々２０（Ｗ）の蛍光灯やその他のランプ等でなる常備用ランプ手段４ｃ、及び赤色発光する蛍光灯やその他のランプ等でなる警告赤色ランプ手段４ｄを一緒に収容すると共に、例えば該点灯管４ｂ内の左右又は前後に並置して構成している。
尚、本発明は前記支持枠４ａを排除し、前記柱１の上部に照明器具４をバンド等の緊締具により直接固定してもよい。
【００１７】
尚、前記スイッチ手段２は、例えば前記柱１の立設長の約１（ｍ）〜約２（ｍ）程度であって、婦女子等が操作できる範囲内の高さに設定して固定する。そして、前記スイッチ手段２の操作ノブ２ａを外部に露出させ、前記婦女子等が操作し易いように該柱１の壁面ないし側面に設置する。また、前記警告ブザー手段３は、前記スイッチ手段２の上方であって、かつ警告音を発した際、暴漢等を追撃できるに足りる音量を伝搬できる範囲の該柱１の上部に於ける壁面ないし側面の位置に固定する。
【００１８】
【発明の実施の形態１】
次に、本発明に係る柱に備えた防犯システムに於いて、図２に示す実施の形態１について説明する。
図２は、本システムの実施の形態１の具体的な電気回路構成図を示すものであり、これに基づき説明する。
【００１９】
５ａ、５ｂは配電線であり、該配電線５ａの一端Ｎ１は、交流電源の一方に接続されている。該配電線５ａの他端Ｎ２は、前記警告ブザー等でなる警告ブザー手段３及び警告赤色ランプ手段４ｄの一端に接続している。該配電線５ｂの一端Ｌ１は、交流電源の他方に接続されている。そして、上記配電線５ａと上記配電線５ｂの一端間には例えば、１００（Ｖ）の交流電圧が印加されている。該配電線５ｂの他端Ｌ２は、前記警告ブザー手段３及び警告赤色ランプ手段４ｄの他端に接続している。また、上記配電線５ａ及び配電線５ｂの外に配電線５ｃが前記交流電源の他方と前記警告ブザー手段３及び警告赤色ランプ手段４ｄの一端との間に接続されている。
【００２０】
前記配電線５ｃの中継点には、前記押ボタンスイッチ等で構成されるスイッチ手段２１、２２及びリレー接点Ｒａ、Ｒｂを有するリレーＲＬを介在させている。該スイッチ手段２１は、例えばプッシュ操作するとオンとなるセットスイッチ等で構成されており、また、該スイッチ手段２２は、プッシュ操作するとオフとなるリセットスイッチで構成されており、単一のスイッチ手段で両者の機能を併有させることができる。前記リレーＲＬのリレー接点Ｒａ、Ｒｂは常時は、負荷すなわち前記警告ブザー手段３及び警告赤色ランプ手段４ｄへの通電回路を遮断している。
尚、前記負荷としての警告ブザー手段３及び警告赤色ランプ手段４ｄを並列接続してなるが、いずれか一方のみで構成することができる。
【００２１】
次に、本発明に係る柱に備えた防犯システムに於ける実施の形態１の動作を図２に基づき説明する。
街の道路を歩行している婦女子や街の道路上で諍い等があったとき、該婦女子又は通行人等は付近の道路上に設置した柱１のスイッチ手段２１をオン操作する。そこで、リレーＲＬが通電されリレー接点Ｒａ及びＲｂが破線で示すように切替わり、前記配電線５ａと配電線５ｂ間を通電し、警告ブザー手段３及び／又は警告赤色ランプ手段４ｄが作動する。これにより、警告ブザー手段３が鳴動しまた警告赤色ランプ手段４ｄが赤色に発光するので、暴漢を追撃又は追払うと共に街の住民から助けを求め諍いを停止させることもできる。
【００２２】
尚、本発明の実施の形態１のみに拘らず後述する本発明の実施の形態２及び３に於いても同様であるが、前記警告赤色ランプ手段４ｄを結ぶ配電線５ｃ等に点滅器を介在させて、該警告赤色ランプ手段４ｄから赤色点滅光を発光させ、更に暴漢等への追撃や追払い効果を上げることもできる。
【００２３】
【発明の実施の形態２】
次に、本発明に係る柱に備えた防犯システムに於いて、図３に示す実施の形態２について説明する。
図３は、本システムの実施の形態２の具体的な電気回路構成図を示すものであり、これに基づき説明する。
【００２４】
本発明に係る実施の形態２は、前記本発明に係る実施の形態１の電気回路にタイマ手段ＴＭを配置したことが特徴である。該タイマ手段ＴＭを備えることにより、前記警告ブザー手段３及び警告赤色ランプ手段４ｄを一定時間継続して作動させた後、自動的にスイッチ手段２２のリセット動作をさせて作動を停止させる構成である。従って、本発明の実施の形態２によれば、暴漢等を追撃し又は追払った後も前記警告ブザー手段３や警告赤色ランプ手段４ｄが作動を続行するという問題を解消できる。
【００２５】
配電線５ｄは、その一端が上記配電線５ｂを介して交流電源の他方に接続されており、その他端Ｌ３が警告ブザー手段３の他端に接続されている。また、配電線５ｅは、その一端が上記配電線５ｂを介して交流電源の他方に接続されており、その他端Ｎ３が該警告ブザー手段３の一端に接続されている。
尚、配電線５ａと配電線５ｂの一端間に例えば交流電圧１００（Ｖ）が印加される点は、前記本発明の実施の形態１と同一である。
【００２６】
前記配電線５ｅの中継点には、タイマスイッチとしてのタイマ接点ＴＭ１及びＴＭ２を備えたタイマ手段ＴＭを配置しており、該タイマ接点ＴＭ２は前記配電線５ｄに介在させている。
尚、他の構成要素については、前記本発明に係る実施の形態１と同一であるので、同一番号、同一符号を付し、その説明を省略する。
【００２７】
次に、本発明に係る柱に備えた防犯システムに於ける実施の形態２の動作を図３に基づき説明する。
すなわち、前述と同様な理由でスイッチ手段２１を操作すると、リレーＲＬが通電されリレー接点Ｒａ及びＲｂが破線で示すように切替わり、前記配電線５ａ及び配電線５ｂ間を通電し、警告赤色ランプ手段４ｄが赤色に発光する。また一方、配電線５ｃから配電線５ｈを介して配電線５ｅにも通電し、タイマ手段ＴＭが作動し、タイマスイッチとしてのタイマ接点ＴＭ１及びタイマ接点ＴＭ２が破線で示すように切替わり、前記配電線５ａ及び配電線５ｄ間を通電し、警告ブザー手段３が鳴動し警告音を発する。
【００２８】
而して、前記警告赤色ランプ手段４ｄの赤色発光動作を行い、及び警告ブザー手段３の警告音が発してから例えば約６０秒間程度経過した後、前記タイマ手段ＴＭが不作動状態となる。そして、一方では前記スイッチ手段２２のリセット動作をさせ、リレーＲＬを消磁させて、リレー接点Ｒａ及びＲｂが復元動作し、配電線５ｂの通電回路を開放し自動的に前記警告赤色ランプ手段４ｄの発光動作を停止する。他方では、タイマ接点ＴＭ１及びタイマ接点ＴＭ２が復元動作し、配電線５ｄの通電回路を開放し自動的に前記警告ブザー手段３の警告音発信動作を停止させる。
この発明の実施の形態２によれば、暴漢等を追撃又は追払った後もスイッチ手段２１、２２をオフ操作する必要がなく、スイッチ手段の開放操作忘れによる警告ブザー手段３等の動作をしつづけるという弊害を防止できる。
【００２９】
【発明の実施の形態３】
次に、本発明に係る柱に備えた防犯システムに於いて、図４に示す実施の形態３について説明する。
図４は、本システムの実施の形態３の具体的な電気回路構成図を示すものであり、これに基づき説明する。
【００３０】
本発明に係る実施の形態３は、前期本発明に係る実施の形態２の電気回路に白色又は青色発光を行う常備用ランプ手段４ｃを配置し、かつ、夜間等に於いてこれを点灯するための柱１に内蔵等した第１スイッチ手段７を設けた点が特徴である。そして、暴漢等の追撃や追払いを行う際、前記常備用ランプ手段４ｃが消灯すると共に、警告赤色発光や警告音を発する構成としている。
【００３１】
配電線５ｆは、その一端が第１スイッチ手段６、上記配電線５ｂを介して例えば１００（Ｖ）交流電圧を印加する交流電源の他方に接続されており、その他端Ｌ４が常備用ランプ手段４ｃの他端に接続されている。該常備用ランプ手段４ｃは、各種のランプで構成されている。また、配電線５ａは、その一端Ｎ１が前記交流電源の一方に接続され、その他端Ｎ４が上記常備用ランプ手段４ｃの一端に接続されている。そして、前記第１スイッチ手段６は、前記配電線５ｆの中継点及び前記配電線５ａに接続する配電線５ｇに接続され、夜間時に於いては常時閉成されており、前記配電線５ａと配電線５ｆ間の通電回路を形成し白色又は青色発光に点灯している。
【００３２】
尚、前記スイッチ手段２１、２２を本実施の形態３では、セット状態としての第２スイッチ手段２１、リセット状態としての第３スイッチ手段２２を分離設置した構成を示したが、両機能すなわちセット機能及びリセット機能を存在するものであれば単一のスイッチで構成してもよい。他の構成要素については、前記本発明に係る実施の形態２と同一であるので、同一番号、同一符号を付し、その説明を省略する。
【００３３】
次に、本発明に係る柱に備えた防犯システムに於ける実施の形態３の動作を図４に基づき説明する。
すなわち、防犯に係る動作をさせる前は、第１スイッチ６が閉成されており、前記配電線５ａ及び配電線５ｆの電気回路が通電しており、図１に示す常備用ランプ手段４ｃが白色又は青色に発光している。例えば、街の道路を歩行等している婦女子が暴漢に襲われた場合、当該婦女子は柱１に設置しているスイッチ手段２としての第２スイッチ手段２１の操作ノブ２ａを押す等の操作を行う。そして、リレーＲＬが通電されリレー接点Ｒａ及びＲｂが破線で示すように切替わり、前記配電線５ａ及び配電線５ｂ間を通電し、警告赤色ランプ手段４ｄが赤色発光の作動をする。一方、前記第１スイッチ手段６に接続したリレー接点Ｒｃも同時に切替わり、配電線５ｆの通電回路が遮断され、前記常備用ランプ手段４ｃが停止つまり消灯する。
従って、前記警告赤色ランプ手段４ｄの赤色発光と前記常備用ランプ手段４ｃの白色又は青色発光が混合することなく、前記警告赤色ランプ手段４ｄのみが通電し、赤色のみを放光させ、暴漢等を追払うか追撃することができる。
【００３４】
そして、前記警告赤色ランプ手段４ｄの作動と同時に配電線５ｃから配電線５ｈを通じてタイマ手段ＴＭに通電し、該タイマ手段ＴＭが作動する。そして、タイマスイッチとしてのタイマ接点ＴＭ１及びＴＭ２が破線で示すように切替わりスイッチオンとなり、配電線５ｅ及び配電線５ｄ間を通電し、前記警告ブザー手段３が鳴動し警告音を発する。
【００３５】
而して、前記警告赤色ランプ手段４ｄの赤色発光動作を行い、及び警告ブザー手段３の警告音が発してから例えば約６０秒間程度経過した後、前記タイマ手段ＴＭが不作動状態となりタイマ接点ＴＭ１、ＴＭ２を開放する。そして、一方ではスイッチ手段２としての第３スイッチ手段２２を開放させて、リレー接点Ｒａ〜Ｒｃが復元動作させ、配電線５ｂの通電回路を開放し及び配電線５ｆの通電回路を形成して、前記警告赤色ランプ手段４ｄの赤色ランプを自動的に消灯させると共に、前記常備用ランプ手段４ｃの白色又は青色ランプが自動的に点灯する。つまり、防犯システムの操作前の状態に復帰させる。そして他方では、配電線５ｄの通電回路を開放し前記警告ブザー手段３の作動を自動的に停止させる。
【００３６】
この発明の実施の形態３によれば、暴漢等を追撃又は追払った後もスイッチ手段２１、２２をオフ操作する必要がなく、スイッチ手段の開放操作忘れによる警告ブザー手段３等の動作をしつづけるという弊害を防止できる。
【００３７】
【発明の効果】
本発明に係る柱に備えた防犯システムは叙上の構成及び動作を有するので、次の効果がある。
【００３８】
請求項１記載の発明によれば、電柱等の柱と、該柱の所定位置に設置したスイッチ手段と、該柱に設置すると共にスイッチ手段の閉成又は開放操作により鳴動開始又は鳴動停止する警告ブザー手段とで構成された柱に備えた防犯システムを提供する。
このような構成としたので、暴漢等に襲われた婦女子等は柱に備えた警告ブザー等を鳴動させることにより、適切に該暴漢等を追撃又は追払うことができ、街の治安を確保できる効果がある。
【００３９】
請求項２記載の発明によれば、電柱等の柱と、該柱の所定位置に設置したスイッチ手段と、該柱に設置すると共にスイッチ手段の閉成又は開放操作により点灯又は消灯する警告赤色ランプ手段とで構成された柱に備えた防犯システムを提供する。
このような構成としたので、暴漢等に襲われた婦女子等は柱に備えた警告赤色ランプを点灯又は点滅させることにより、該暴漢等を適切に追撃又は追払うことができ、街の治安を確保できる効果がある。
【００４０】
請求項３記載の発明によれば、電柱等の柱と、該柱の所定位置に設置したスイッチ手段と、該柱に設置すると共にスイッチ手段の閉成又は開放操作により、鳴動開始又は鳴動停止する警告ブザー手段及び点灯又は消灯する警告赤色ランプ手段とで構成された柱に備えた防犯システムを提供する。
このような構成としたので、暴漢等に襲われた婦女子等は柱に備えた警告ブザー及び警告赤色ランプを点灯又は点滅させることにより、該暴漢等を更に効果的に追撃又は追払うことができる効果がある。
【００４１】
請求項４記載の発明によれば、前記柱にリレー手段を内蔵し、電源からの電気信号を該リレー手段を介して警告ブザー手段及び／又は警告赤色ランプ手段へ通電する通電回路を形成したことを特徴とする請求項１、２又は３記載の柱に備えた防犯システムを提供する。
このような構成としたので、リレー手段の働きにより操作したスイッチ手段のセット動作が何らかの原因でオフとなった場合にも、リレー接点回路を常に形成し本システムを有効に作動させる効果がある。
【００４２】
請求項５記載の発明によれば、前記柱に内蔵してあって、前記スイッチ手段の動作に連動しかつ前記警告ブザー手段及び／又は警告赤色ランプ手段を所定時間動作を継続させるタイマ手段を有したことを特徴とする請求項１、２又は３記載の柱に備えた防犯システムを提供する。
このような構成としたので、スイッチ手段の手動によるリセット動作することなく自動的リセット動作を行うことができ、警告ブザーや警告赤色ランプを作動しつづけることがなく、近隣の住民への騒音防止を行う効果がある。
【００４３】
請求項６記載の発明によれば、電柱等の柱と、該柱に装備しかつ電源から第１スイッチ手段を介して接続した夜間時等に点灯する常備用ランプ手段と、該柱の所定位置に設置した第２スイッチ手段と、該柱に設置すると共に第２スイッチ手段の閉成又は開放操作により鳴動開始又は鳴動停止する警告ブザー手段及び点灯又は消灯する警告赤色ランプ手段と、該第２スイッチ手段の閉成動作により前記常備用ランプ手段を消灯すると共に該警告ブザー手段及び警告赤色ランプ手段を所定時間動作しかつ所定時間経過後に前記第２スイッチ手段に接続する第３スイッチ手段及び前記警告ブザー手段に接続するタイマスイッチを開放するタイマ手段を備えたことを特徴とする柱に備えた防犯システムを提供する。
このような構成としたので、本システムの動作前は常備用ランプを点灯し、本システムを動作させるときは常備用ランプに代えて警告赤色ランプを点灯又は点滅させ、併せて警告ブザーを鳴動させるので、ランプ光が混合することなく鮮明な警告ランプ光を確保でき、防犯効果を更に向上させることができる効果がある。
【００４４】
請求項７記載の発明によれば、前記柱にリレー手段を内蔵し、電源からの電気信号を該リレー手段を介して警告ブザー手段、警告赤色ランプ手段及び／又は常備用ランプ手段へ通電する通電回路を形成したことを特徴とする請求項１、２又は３記載の柱に備えた防犯システムを提供する。
このような構成としたので、リレー手段の働きにより操作した第２スイッチ手段のセット動作が何等かの原因でオフとなった場合にも、リレー接点回路を常に形成し、本システムの品質を向上させかつ有効に作動させる効果がある。
【００４５】
請求項８記載の発明によれば、前記第１スイッチ手段、前記第３スイッチ手段及び／又は前記タイマ手段は、前記柱に内蔵されたことを特徴とする請求項５又は６記載の柱に備えた防犯システムを提供する。
このような構成としたので、本システムの構成要素を柱内に収容したので外部からのいたずら等の要因で取外されることや破損することがなく、高品質であって耐久性を有するシステムを提供する効果がある。
【００４６】
請求項９記載の発明によれば、前記常備用ランプ手段と前記警告赤色ランプ手段は、単一の照明器具内に並置したことを特徴とする請求項６記載の柱に備えた防犯システムを提供する。
このような構成としたので、照明器具を小型かつ簡素化する特徴と併せて既設の発光灯等ランプ装置に配線を改変するのみで本システムを構築することができ、その利用範囲を拡大する効果がある。
【図面の簡単な説明】
【図１】本発明に係る柱に備えた防犯システムの構成例を示す全体側面図である。
【図２】本発明に係る防犯システムに於ける実施の形態１を示す電気回路図である。
【図３】本発明に係る防犯システムに於ける実施の形態２を示す電気回路図である。
【図４】本発明に係る防犯システムに於ける実施の形態３を示す電気回路図である。
【符号の説明】
１　　　　　　　　柱
２　　　　　　　　スイッチ手段
２１　　　　　　　スイッチ手段（第２スイッチ手段）
２２　　　　　　　スイッチ手段（第３スイッチ手段）
２ａ　　　　　　　操作ノブ
３　　　　　　　　警告ブザー手段
４　　　　　　　　照明器具
４ａ　　　　　　　支持枠
４ｂ　　　　　　　点灯管
４ｃ　　　　　　　常備用ランプ手段
４ｄ　　　　　　　警告赤色ランプ手段
５ａ〜５ｈ　　　　配電線
６　　　　　　　　第１スイッチ手段
ＲＬ　　　　　　　リレー
Ｒａ、Ｒｂ、Ｒｃ　リレー接点
ＴＭ　　　　　　　タイマ手段
ＴＭ１、ＴＭ２　　タイマ接点
【図１】
2004013317.tif 000003
【図２】
2004013317.tif 000004
【図３】
2004013317.tif 000005
【図４】
2004013317.tif 000006